(57)【要約】【課題】構造が複雑でなく、かつ、断線した光ドロップケーブルの補修を効率良く行うことができる直線接続クロージャを提供する。【解決手段】幹線の光ファイバケーブルから加入者宅に引き込まれている光ドロップケーブル１が断線した際の補修に用いられる直線接続クロージャ１０であって、断線した光ドロップケーブル１の一方および他方の吊線１ｃを両端部でそれぞれ固定するための吊線固定棒１１と、断線した光ドロップケーブルの一方および他方の心線１ａ、心線１ａと接続されたジャンパ心線２、並びに、心線１ａとジャンパ心線２との接続部（左側および右側スリーブ３L，３R）を収納するためのホルダー１２と、吊線固定棒１１およびホルダー１２を格納するための開閉可能なカバー１３とを具備する。【選択図】図１
2010197691.tif 000002
【特許請求の範囲】
【請求項１】
幹線の光ファイバケーブルから加入者宅に引き込まれている光ドロップケーブル（１）が断線した際の補修に用いられる直線接続クロージャ（１０；６０；９０）であって、
前記断線した光ドロップケーブルの一方および他方を両端部でそれぞれ固定するための棒状の光ドロップケーブル固定手段（１１；６１；７０；８０）と、
前記断線した光ドロップケーブルの一方および他方の心線（１ａ）、該心線と接続されたジャンパ心線（２）、並びに、該心線と該ジャンパ心線との接続部（３L，３R；４L，４R）を収納するためのホルダー（１２；２１；３１；４１；５１）と、
前記光ドロップケーブル固定手段および前記ホルダーを格納するための開閉可能なカバー（１３；９１）と、
を具備することを特徴とする、直線接続クロージャ。
【請求項２】
前記光ドロップケーブル固定手段が、前記断線した光ドロップケーブルの一方および他方の吊線をそれぞれ固定するための吊線固定手段（１１L1，１１L2，１１R1，１１R2；７１；８１）が両端部にそれぞれ設けられた吊線固定棒（１１；７０；８０）であることを特徴とする、請求項１記載の直線接続クロージャ。
【請求項３】
前記光ドロップケーブル固定手段が、前記断線した光ドロップケーブルの一方および他方をそれぞれ把持するための把持金具（６１L，６１R）が両端部にそれぞれ設けられた光ドロップケーブル固定棒（６１）であることを特徴とする、請求項１記載の直線接続クロージャ。
【請求項４】
前記ホルダー（１２；５１）内に、所定の深さの切れ目が該ホルダーの一方の端面から他方の端面まで該ホルダーの長手方向に沿ってまたは短冊状に形成されたスポンジ部材（１２ａ；５１ａ）が嵌め込まれていることを特徴とする、請求項１乃至３いずれかに記載の直線接続クロージャ。
【請求項５】
前記心線と前記ジャンパ心線とがメカニカルスプライス（４L，４R）を用いて接続されており、
前記ホルダー（２１；３１）が、２つの側面に互いに対向するように取り付けられた、かつ、前記ジャンパ心線の長さに応じて保持位置を調整して前記メカニカルスプライスを保持するための複数個の保持用突起（２１ａ；３１ａ）を備えている、
ことを特徴とする、請求項１乃至３いずれかに記載の直線接続クロージャ。
【請求項６】
前記複数個の保持用突起（２１ａ）が、前記メカニカルスプライスの両端面を挟んで保持できる間隔で取り付けられていることを特徴とする、請求項５記載の直線接続クロージャ。
【請求項７】
前記複数個の保持用突起（３１ａ）が、前記メカニカルスプライスの両側面を２個以上でそれぞれ挟んで保持できる間隔で取り付けられていることを特徴とする、請求項５記載の直線接続クロージャ。
【請求項８】
前記心線と前記ジャンパ心線とがメカニカルスプライス（４L，４R）を用いて接続されており、
前記ホルダー（４１）が、前記メカニカルスプライスを埋め込んで保持するためのスポンジ部材（４１ａ）を備えている、
ことを特徴とする、請求項１乃至３いずれかに記載の直線接続クロージャ。
【請求項９】
前記光ドロップケーブル固定手段、前記ホルダーおよび前記カバーが一体化されていることを特徴とする、請求項１乃至８いずれかに記載の直線接続クロージャ。
【発明の詳細な説明】
【技術分野】
【０００１】
本発明は、直線接続クロージャに関し、特に、断線した光ドロップケーブル（引込ケーブル）を補修するのに好適な直線接続クロージャに関する。
【背景技術】
【０００２】
従来、電柱（支持物）間に敷設された幹線の光ファイバケーブルから加入者宅へ引き込まれている光ドロップケーブル１が図８に示す断線箇所において断線し、かつ、断線した光ドロップケーブル１同士を融着接続するのに光ドロップケーブル１の長さが足りない場合には、以下に示す２つの方法のいずれかにより補修作業を行っている。
【０００３】
（１）断線箇所からメディアコンバータ（Ｍ／Ｃ）までの張替え
図９（ａ）に示すように、断線箇所から加入者宅までの光ドロップケーブル１を新たな光ドロップケーブル１’に張り替えるとともに、加入者宅内に設置されたメディアコンバータ（Ｍ／Ｃ）５を新たなメディアコンバータ５’に取り替えている。
このとき、直線接続クロージャ１００を用いて新たな光ドロップケーブル１’を元の光ドロップケーブル１と接続している。
【０００４】
（２）断線箇所から成端箱までの張替え
図９（ｂ）に示すように、断線箇所から加入者宅までの光ドロップケーブル１を新たな光ドロップケーブル１’に張り替えるとともに、加入者宅の壁面に成端箱１１０を新たに取り付けて、新たな光ドロップケーブル１’とメディアコンバータ５とを成端箱１１０を介して接続している。
【０００５】
なお、小型化および軽量化を図った直線接続クロージャとしては、以下に示すものがある。
（１）下記の特許文献１には、光ファイバを本体部の外周面上の螺旋状の溝部に巻回し、この光ファイバの端部を本体部の端部側から解きほぐして取り出し、ドロップ光ファイバケーブルの光ファイバをふた部の孔に貫通させ、この貫通したドロップ光ファイバケーブルの光ファイバの端部を解きほぐして取り出した光ファイバの端部に融着接続またはメカニカルスプライス接続により接続し、解きほぐした光ファイバの余った部分を本体部の空洞部内に押し込めながら接続部を本体部の空洞部内に収納し、ふた部を本体部に固定的に取り付けることにより、ドロップ光ファイバケーブルがどこで断線したとしても簡単かつ適格に接続することができるようにした光ファイバケーブル接続補助器が開示されている。
（２）下記の特許文献２には、光ファイバ心線部分と支持線とを一体化した光ドロップケーブルの直線接続部構造であって、接続部材に取り付けた２本のボルトに両側の支持線の端部をそれぞれ巻き付け締付けることで接続部材に固定し、各支持線にスパイラルチューブを被せ、両側の光ファイバ同士を接続したメカニカルスプライスを接続部材の回りを回して各光ファイバをスパイラルチューブの外周に螺旋状に巻き付け、その状態でメカニカルスプライスを接続部材のメカニカルスプライス取付部に取り付け、これら全体を保護スリーブ内に収容し、両端に端面キャップを被せることにより、余長処理機能を持たせかつ支持線を樹脂被覆を被った状態のまま固定しても十分な張力が得られるようにした光ドロップケーブルの直線接続部構造が開示されている。
（３）下記の特許文献３には、双方の光ドロップケーブルの端末からそれぞれ露出された支持線が接続された支持線接続部と、双方の光ドロップケーブルの端末からそれぞれ露出された光ファイバの端末同士が余長を持って接続された光ファイバ接続部と、接続された支持線上に取り付けられた円筒型余長収納ガイドとを有し、円筒型余長収納ガイドの外周に光ファイバの接続余長が光ファイバの許容最小曲げ径を確保した状態で巻付けられるようにすることにより、小型・軽量でありかつ設置場所の制約が少ない光ドロップケーブルの接続部が開示されている。
【先行技術文献】
【特許文献】
【０００６】
【特許文献１】特開２００５−０３１５２１号公報
【特許文献２】特開２００５−０７０５６４号公報
【特許文献３】特開２００４−３２５９９８号公報
【発明の概要】
【発明が解決しようとする課題】
【０００７】
しかしながら、上述した２つの補修方法では、光ドロップケーブル１の張替え作業が必要であるという問題のほかに、張替作業を行う際にお客様調整が必要であるために工期が縛られるという問題があった。
また、断線箇所からメディアコンバータまでの張替えを行う補修方法では、メディアコンバート５を新たなメディアコンバート５’に取り替えるため、新たなメディアコンバート５’とパーソナルコンピュータ（ＰＣ）６とを接続するコネクタケーブル７と新たなメディアコンバート５’とを接続する融着接続作業も必要であるという問題があった。
さらに、断線箇所から成端箱までの張替えを行う補修方法では、成端箱１１０を加入者宅の壁面に取り付けることの了解を加入者にもらう必要があるとともに、成端箱１１０の取付作業も必要であるという問題があった。
【０００８】
なお、光ドロップケーブル１の張替えを行わないようにするために、所定の長さの接続用光ドロップケーブル１”と２個の直線接続クロージャ（第１および第２の直線接続クロージャ１００1，１００2）とを用意しておいて、図１０に示すように接続用光ドロップケーブル１”を介して断線した光ドロップケーブル１同士を接続する補修方法も考えられる。
しかし、このような補修方法では、接続用光ドロップケーブル１”の長さを十分にとる必要があるため、施工時間を要するとともに作業性が悪いという問題が生じる。
また、風などによって第１および第２の直線接続クロージャ１００1，１００2が別々に振動すると光ドロップケーブル１および接続用光ドロップケーブル１”が断線し易くなるため、第１および第２の直線接続クロージャ１００1，１００2を１個のカバーで覆うことも考えられるが、カバーの長さが長くなるとともに施工時間を更に要するという問題が生じる。
【０００９】
上記の特許文献１〜３に開示されている直線接続クロージャは、以下に示す理由により、直線接続クロージャの構造が複雑になったり、光ドロップケーブルの張替工事の作業手順が多くなったりするという問題がある。
（１）上記の特許文献１に開示されている光ファイバケーブル接続補助器では、光ファイバを本体部の外周面上の螺旋状の溝部に巻回したり、ドロップ光ファイバケーブルの光ファイバをふた部の孔に貫通させたり、ふた部を本体部に固定的に取り付けたりする必要がある。
（２）上記の特許文献２に開示されている光ドロップケーブルの直線接続部構造では、各支持線にスパイラルチューブを被せたり、両側の光ファイバ同士を接続したメカニカルスプライスを接続部材の回りを回して各光ファイバをスパイラルチューブの外周に螺旋状に巻き付けたりする必要がある。
（３）上記の特許文献３に開示されている光ドロップケーブルの接続部では、円筒型余長収納ガイドの外周に光ファイバの接続余長が光ファイバの許容最小曲げ径を確保した状態で巻付けられるようにする必要がある。
【００１０】
本発明の目的は、構造が複雑でなく、かつ、断線した光ドロップケーブルの補修を効率良く行うことができる直線接続クロージャを提供することにある。
【課題を解決するための手段】
【００１１】
本発明の直線接続クロージャは、幹線の光ファイバケーブルから加入者宅に引き込まれている光ドロップケーブル（１）が断線した際の補修に用いられる直線接続クロージャ（１０；６０；９０）であって、前記断線した光ドロップケーブルの一方および他方を両端部でそれぞれ固定するための棒状の光ドロップケーブル固定手段（１１；６１；７０；８０）と、前記断線した光ドロップケーブルの一方および他方の心線（１ａ）、該心線と接続されたジャンパ心線（２）、並びに、該心線と該ジャンパ心線との接続部（３L，３R；４L，４R）を収納するためのホルダー（１２；２１；３１；４１；５１）と、前記光ドロップケーブル固定手段および前記ホルダーを格納するための開閉可能なカバー（１３；９１）とを具備することを特徴とする。
ここで、前記光ドロップケーブル固定手段が、前記断線した光ドロップケーブルの一方および他方の吊線をそれぞれ固定するための吊線固定手段（１１L1，１１L2，１１R1，１１R2；７１；８１）が両端部にそれぞれ設けられた吊線固定棒（１１；７０；８０）であってもよい。
前記光ドロップケーブル固定手段が、前記断線した光ドロップケーブルの一方および他方をそれぞれ把持するための把持金具（６１L，６１R）が両端部にそれぞれ設けられた光ドロップケーブル固定棒（６１）であってもよい。
前記ホルダー（１２；５１）内に、所定の深さの切れ目が該ホルダーの一方の端面から他方の端面まで該ホルダーの長手方向に沿ってまたは短冊状に形成されたスポンジ部材（１２ａ；５１ａ）が嵌め込まれていてもよい。
前記心線と前記ジャンパ心線とがメカニカルスプライス（４L，４R）を用いて接続されており、前記ホルダー（２１；３１）が、２つの側面に互いに対向するように取り付けられた、かつ、前記ジャンパ心線の長さに応じて保持位置を調整して前記メカニカルスプライスを保持するための複数個の保持用突起（２１ａ；３１ａ）を備えていてもよい。
前記複数個の保持用突起（２１ａ）が、前記メカニカルスプライスの両端面を挟んで保持できる間隔で取り付けられていてもよい。
前記複数個の保持用突起（３１ａ）が、前記メカニカルスプライスの両側面を２個以上でそれぞれ挟んで保持できる間隔で取り付けられていてもよい。
前記心線と前記ジャンパ心線とがメカニカルスプライス（４L，４R）を用いて接続されており、前記ホルダー（４１）が、前記メカニカルスプライスを埋め込んで保持するためのスポンジ部材（４１ａ）を備えていてもよい。
前記光ドロップケーブル固定手段、前記ホルダーおよび前記カバーが一体化されていてもよい。
【発明の効果】
【００１２】
本発明の直線接続クロージャは、断線した光ドロップケーブルの一方および他方を棒状の光ドロップケーブル固定手段の両端部にそれぞれ固定し、断線した光ドロップケーブルの一方および他方の心線とジャンパ心線とを接続したのち、心線、ジャンパ心線および接続部をホルダーに収納するだけでよいため、構造を簡単化することができるとともに断線した光ドロップケーブルの補修を効率良く行うことができるという効果を奏する。
【図面の簡単な説明】
【００１３】
【図１】本発明の一実施例による直線接続クロージャ１０の構成について説明するための図である。
【図２】断線した光ドロップケーブル１を図１に示した直線接続クロージャ１０を用いて補修する方法について説明するための図である。
【図３】断線した光ドロップケーブル１を図１に示した直線接続クロージャ１０を用いて補修する方法について説明するための図である。
【図４】断線した光ドロップケーブル１の剥き出しにした心線１ａとジャンパ心線２とをメカニカルスプライス接続する際に用いるホルダーの構成例を示す図であり、（ａ）はホルダー２１の構成を示す図であり、（ｂ）はホルダー３１の構成を示す図であり、（ｃ）はホルダー４１の構成を示す図であり、（ｄ）はホルダー５１の構成を示す図である。
【図５】図１に示した第１および第２の左側突起１１L1，１１L2と第１および第２の右側突起１１R1，１１R2との代わりに使用する左側および右側把持金具６１L，６１Rについて説明するための図である。
【図６】図１に示した吊線固定棒１１の代わりに使用する吊線固定棒７０，８０について説明するための図であり、（ａ）は吊線固定棒７０の構成を示す図であり、（ｂ）は吊線固定棒８０の構成を示す図である。
【図７】両端面の第１の貫通孔９１ｃ1の下側に第２の貫通孔９１ｃ2が形成された直方体状のカバー９１を具備した直線接続クロージャ９０の構成を示す図であり、（ａ）は表面カバー９１を開いた状態の正面図であり、（ｂ）は表面カバー９１を閉じた状態の側面図である。
【図８】光ドロップケーブル１が断線した場合の従来の補修作業について説明するための図である。
【図９】光ドロップケーブル１が断線した場合の従来の補修作業について説明するための図である。
【図１０】光ドロップケーブル１の張替えを不要とするために接続用光ドロップケーブル１”と第１および第２の直線接続クロージャ１００1，１００2とを用いた補修方法について説明するための図である。
【発明を実施するための形態】
【００１４】
上記の目的を、断線した光ドロップケーブルの一方および他方を両端部でそれぞれ固定するための棒状の光ドロップケーブル固定手段と、断線した光ドロップケーブルの一方および他方の心線、心線と接続されたジャンパ心線、並びに、心線とジャンパ心線との接続部を収納するためのホルダーとを具備することにより実現した。
【実施例１】
【００１５】
以下、本発明の直線接続クロージャの実施例について図面を参照して説明する。
なお、以下の説明では、光ドロップケーブル１は、図５（ｂ）に示すように、本体部（心線１ａおよびテンションメンバ１ｂが収容されている部分）と吊線部（吊線１ｃが収容されている部分）とからなるものとする。
【００１６】
本発明の一実施例による直線接続クロージャ１０は、図１（ａ）に示す吊線固定棒１１およびホルダー１２と、同図（ｂ）に示すカバー１３とを具備する。
【００１７】
ここで、吊線固定棒１１の図１（ａ）図示左側の端部には第１および第２の左側突起１１L1，１１L2が吊線固定棒１１の長手方向と垂直な方向に所定の間隔をもって吊線固定棒１１の左端側から第１の左側突起１１L1および第２の左側突起１１L2の順番で取り付けられており、また、吊線固定棒１１の同図図示右側の端部には第１および第２の右側突起１１R1，１１R2が吊線固定棒１１の長手方向と垂直な方向に所定の間隔をもって吊線固定棒１１の右端側から第１の右側突起１１R1および第２の右側突起１１R2の順番で取り付けられている。
【００１８】
ホルダー１２は、底面と２つの側面とを備えた横断面形状（ホルダー１２の長手方向と垂直な方向に切断したときにホルダー１２の長手方向に沿って見た断面形状）がコの字状をしている。また、ホルダー１２は、心線１ａの保護および余長の有効活用のためにホルダー１２の上面上に第１および第２の左側突起１１L1，１１L2と第１および第２の右側突起１１R1，１１R2とが位置するように吊線固定棒１１に取り付けられている。
また、ホルダー１２内には、所定の深さの切れ目が左側端面から右側端面までホルダー１２の長手方向に沿って形成されたスポンジ部材１２ａが嵌め込まれている。
【００１９】
カバー１３は、直線接続クロージャ１０の第１および第２の左側突起１１L1，１１L2と第１および第２の右側突起１１R1，１１R2とホルダー１２とを格納するためのものであり、両端面を備えた半円筒状の表面カバー１３ａおよび裏面カバー１３ｂを備える。カバー１３の長手方向の長さは、吊線固定部１１の両端部がカバー１３から突出する長さとされている（図１（ｂ）参照）。
表面カバー１３ａは、カバー１３を開閉可能とするために、カバー１３の上端線を中心軸として裏面カバー１３ｂに対して回動可能とされている。
また、表面カバー１３ａおよび裏面カバー１３ｂの両端面には、カバー１３を閉じたときに直線接続クロージャ１０の吊線固定棒１１を貫通させるための第１の貫通孔１３ｃ1を形成するための半円状の切欠きが上部に形成されているとともに、カバー１３を閉じたときに光ドロップケーブル１の本体部を貫通させる第２の貫通孔１３ｃ2を形成するための半円状の切欠きが中心部付近に形成されている。
【００２０】
なお、後述するジャンパ心線２と左側および右側スリーブ３L，３Rとを事前にホルダー１２のスポンジ部材１２ａ内に切れ目から押し込んで収納しておくことにより、作業員はジャンパ心線２と左側および右側スリーブ３L，３Rとを別途用意する必要をなく吊線固定棒１とホルダー１２とがカバー１３内に格納されたものを補修箇所に持参すれば、断線した光ドロップケーブル１の心線１ａおよび吊線１ｃを再利用して補修することができるので、補修作業を効率良く行うことができる。
【００２１】
次に、断線した光ドロップケーブル１を本実施例による直線接続クロージャ１０を用いて補修する方法について、図２および図３を参照して説明する。
【００２２】
作業員は、光ドロップケーブル１の断線箇所（図２（ａ）参照）において、断線した光ドロップケーブル１の両方の端部を先端から所定の長さ（たとえば、１〜２ｃｍ）だけ切断したのち、切断した光ドロップケーブル１の端部の吊線部および本体部を所定の長さだけ分離する（図２（ｂ）参照）。
【００２３】
続いて、作業員は、断線した光ドロップケーブル１の一方の分離した吊線部の外被を先端から所定の長さだけ剥いて吊線１ｃを剥き出しにしたのち（図２（ｃ）参照）、剥き出しにした吊線１ｃを直線接続クロージャ１０の第１の左側突起１１L1および第２の左側突起１１L2にこの順番で巻き付ける（図２（ｄ）参照）。このとき、第１および第２の左側突起１１L1，１１L2の図２（ｄ）図示手前側だけでなく図示背後側にも吊線１ｃを巻き付けることにより、異なる方向からの外力に対しても吊線１ｃが外れにくくするようにする。
同様にして、作業員は、断線した光ドロップケーブル１の他方の分離した吊線部の外被を先端から所定の長さだけ剥いて吊線１ｃを剥き出しにしたのち（図２（ｃ）参照）、剥き出しにした吊線１ｃを直線接続クロージャ１０の第１の右側突起１１R1および第２の右側突起１１R2にこの順番で巻き付ける（図２（ｄ）参照）。
なお、作業員は、剥き出しにした吊線１ｃの長さによっては、第１の左側突起１１L1および第１の右側突起１１R1にのみ剥き出しにした吊線１ｃを巻き付ける。
【００２４】
続いて、作業員は、断線した光ドロップケーブル１の一方の分離した本体部の外被を先端から所定の長さ（たとえば、４〜５ｃｍ）だけ剥いて心線１ａを剥き出しにし（図３（ａ）参照）、剥き出しにした心線１ａとホルダー１２内から取り出したジャンパ心線２とを融着接続したのち、融着接続部にホルダー１２内から取り出した左側スリーブ３Lを取り付ける（図３（ｂ）参照）。
同様にして、作業員は、断線した光ドロップケーブル１の他方の分離した本体部の外被を先端から所定の長さ（たとえば、４〜５ｃｍ）だけ剥いて心線１ａを剥き出しにし（図３（ａ）参照）、剥き出しにした心線１ａとホルダー１２内から取り出したジャンパ心線２とを融着接続したのち、融着接続部にホルダー１２内から取り出した右側スリーブ３Rを取り付ける（図３（ｂ）参照）。
なお、このときの融着接続作業により、剥き出しにした心線１ａは先端から所定の長さ（たとえば、１〜２ｃｍ）だけ切断される。
【００２５】
続いて、作業員は、断線した光ドロップケーブル１の一方の剥き出しにされたままの心線１ａ、左側スリーブ３L、ジャンパ心線２、右側スリーブ３Rおよび断線した光ドロップケーブル１の他方の剥き出しにされたままの心線１ａをスポンジ部材１２ａの切れ目から押し込んで、これらをホルダー１２内に収納する（図３（ｃ）参照）。
【００２６】
続いて、作業員は、ホルダー１２にカバー１３を装着する（図１（ｂ）参照）。
【００２７】
以上の説明では、心線１ａとジャンパ心線２とを融着接続したが、メカニカルスプライス接続してもよい。
この場合には、図１（ａ）に示したホルダー１２の代わりに、以下に示すホルダー２１，３１，４１を用いる。
【００２８】
（１）ホルダー２１
ホルダー２１は、図４（ａ）に示すように、２つの側面に互いに対向するように取り付けられた複数個の保持用突起２１ａを備える。
ここで、保持用突起２１ａは、底面がホルダー２１の側面に取り付けられた半円柱状の形状を有し、左側および右側メカニカルスプライス４L，４Rをホルダー２１の上面から押し込めるようにゴムなどの弾性部材からなる。
また、保持用突起２１ａは、ジャンパ心線２の長さに応じて左側または右側メカニカルスプライス４L，４Rの保持位置を調整できるようにするために、左側および右側メカニカルスプライス４L，４Rの両端面を挟んで保持できる間隔で取り付けられている。
【００２９】
（２）ホルダー３１
ホルダー３１は、図４（ｂ）に示すように、２つの側面に互いに対向するように取り付けられた複数個の保持用突起３１ａを備える。
ここで、保持用突起３１ａは、底面がホルダー３１の側面に取り付けられた半円柱状の形状を有し、左側および右側メカニカルスプライス４L，４Rをホルダー３１の上面から押し込めるようにゴムなどの弾性部材からなる。
また、保持用突起３１ａは、ジャンパ心線２の長さに応じて左側または右側メカニカルスプライス４L，４Rの保持位置を調整できるようにするために、左側または右側メカニカルスプライス４L，４Rの両側面を２個以上でそれぞれ挟んで保持できる間隔（すなわち、図４（ａ）に示した保持用突起２１ａの間隔よりも狭い間隔）で取り付けられている。
【００３０】
（３）ホルダー４１
ホルダー４１は、図４（ｃ）に示すように、左側または右側メカニカルスプライス４L，４Rを埋め込んで保持するためのスポンジ部材４１ａを備える。
ここで、スポンジ部材４１ａは、ホルダー４１の左側端面から右側端面まで嵌め込まれている。また、スポンジ部材４１ａには、左側および右側メカニカルスプライス４L，４Rとジャンパ心線２とをホルダー４１の上面から押し込めるように、所定の幅を有する切れ目が左側端面から右側端面までホルダー４１の長手方向に沿って形成されている。
【００３１】
また、長いジャンパ心線２を用意する必要がある場合には、図（ｄ）に示すホルダー５１のようにスポンジ部材５１ａの切れ目を碁盤の目状（短冊状）にすることにより、ジャンパ心線２を蛇行させてスポンジ部材５１ａに押し込めてジャンパ心線２の余長処理ができるようにしてもよい。
【００３２】
以上の説明では、断線した光ドロップケーブル１の吊線１ｃを直線接続クロージャ１０の第１および第２の左側突起１１L1，１１L2と第１および第２の右側突起１１R1，１１R2とに巻き付けたが、図５（ａ）に示す直線接続クロージャ６０のように、左側把持金具６１Lおよび右側把持金具６１Rを光ドロップケーブル固定棒６１の両端部に取り付けて、断線した光ドロップケーブル１の一方を左側把持金具６１Lで把持して固定するとともに断線した光ドロップケーブル１の他方を右側把持金具６１Rで把持して固定するようにしてもよい。
【００３３】
ここで、左側把持金具６１Lは、図５（ｂ）に示すように、光ドロップケーブル固定棒６１に取り付けられる取付部６１ａと、光ドロップケーブル１の本体部（心線１ａおよびテンションメンバ１ｂが収容されている部分）を左右から挟んで把持するための本体部把持部６１ｂと、光ドロップケーブル１の吊線部（吊線線１ｃが収容されている部分）を左右から挟んで把持するための吊線部把持部６１ｃとを備える。また、左側把持金具６１Lの取付部６１ａは吊線部把持部６１ｃ側に設けられている。
右側把持金具６１Rは左側把持金具６１Lと同様に構成されている。
【００３４】
断線した光ドロップケーブル１の一方は、図５（ｂ）に示すように本体部把持部６１ｂを開いた状態で吊線部から左側把持金具６１Lに挿入され、同図（ｃ）に示すように本体部全体が本体部把持部６１ｂに挿入されるまで左側把持金具６１Lに押し込まれる。その後、断線した光ドロップケーブル１の一方は、同図（ｄ）に示すように光ドロップケーブル１の形状に合わせて本体部把持部６１ｂおよび吊線部把持部６１ｃが工具または手でつぶされて本体部および吊線部が本体部把持部６１ｂおよび吊線部把持部６１ｃで左右から挟まれて把持されることにより、左側把持金具６１Lによって把持される。
断線した光ドロップケーブル１の他方は、同様にして右側把持金具６１Rによって把持される。
【００３５】
さらに、図１に示した第１および第２の左側突起１１L1，１１L2と第１および第２の右側突起１１R1，１１R2とを取り付けた吊線固定棒１１の代わりに、図６（ａ）に示す吊線固定棒７０または同図（ｂ）に示す吊線固定棒８０を用いてもよい。
【００３６】
ここで、吊線固定棒７０は、両端部に光ドロップケーブル１の吊線１ｃを挿入するための挿入孔が形成されているとともに、両端部に固定ネジ７１と螺合するネジ溝が形成されたものである。
この場合には、作業員は、断線した光ドロップケーブル１の一方の吊線１ｃを吊線固定棒７０の左端部の挿入孔に挿入したのちに、挿入した吊線１ｃの上面を固定ネジ７１の先端で押し付けて固定するとともに、断線した光ドロップケーブル１の他方の吊線１ｃを吊線固定棒７０の右端部の挿入孔に挿入したのちに、挿入した吊線１ｃの上面を固定ネジ７１で押し付けて固定する。
【００３７】
吊線固定棒８０は、両端部に光ドロップケーブル１の吊線１ｃを挿入するための挿入孔が形成されているとともに、両端面部の外面にテーパ加工されたネジ溝が所定の長さだけ形成されたものである。
この場合には、作業員は、断線した光ドロップケーブル１の一方の吊線１ｃを吊線固定棒８０の左端部の挿入孔に挿入したのちに、ナット８１を吊線固定棒８０の左端面部のネジ溝に螺合していくことにより吊線１ｃを吊線固定棒８０で締め付けて固定するとともに、断線した光ドロップケーブル１の他方の吊線１ｃを吊線固定棒８０の右端部の挿入孔に挿入したのちに、ナット８１を吊線固定棒８０の右端面部のネジ溝に螺合していくことにより吊線１ｃを吊線固定棒８０で締め付けて固定する。
【００３８】
なお、図示しないが、図１に示した第１および第２の左側突起１１L1，１１L2と第１および第２の右側突起１１R1，１１R2とを取り付けた吊線固定棒１１の代わりに、少なくとも１個の左側アイ金具と少なくとも１個の右側アイ金具とを取り付けた吊線固定棒を用いてもよい。
この場合には、作業者は、断線した光ドロップケーブル１の一方の吊線１ｃを左側アイ金具に通したのち巻き付けて固定するとともに、断線した光ドロップケーブル１の他方の吊線１ｃを右側アイ金具に通したのち巻き付けて固定する。
【００３９】
以上の説明では、図１（ｂ）に示したように両端面の中央部に第２の貫通孔１３ｃ2が形成された円筒状のカバー１３を用いたが、コンパクト化を図るために、図７（ａ），（ｂ）に示す直線接続クロージャ９０のように両端面の第１の貫通孔９１ｃ1の下側に第２の貫通孔９１ｃ2が形成された直方体状のカバー９１を用いてもよい。
なお、直線接続クロージャ９０では、断線した光ドロップケーブル１の本体部は第２の貫通孔９１ｃ2を通してカバー９１内に格納される。
また、表面カバー９１ａおよび裏面カバー９１ｂの下端部は底面に対して垂直に突出しているとともに複数の孔が設けられており、同図（ｂ）に示すようにボルト９２を孔に通したのちにボルト９２とナット９３とで表面カバー９１ａおよび裏面カバー９１ｂの下端部を挟み込むことにより、表面カバー９１ａを閉じた状態で表面カバー９１ａと裏面カバー９１ｂとを固定するようにされている。
さらに、吊線固定棒１１とホルダー１２とカバー９１とを一体化して構成することにより、同図（ａ）に示すように表面カバー９１ａを開いた状態で補修作業を行えるようにしてもよい。これにより、作業員は断線した光ドロップケーブル１の接続作業後に表面カバー９１ａを閉じることで補修作業をすべて終了することができるので、補修作業の更なる効率化を図ることができる。
【００４０】
また、直線状のジャンパ心線２を用いたが、カール状のジャンパ心線を用いてもよい。
【符号の説明】
【００４１】
・  １’  光ドロップケーブル
１”  接続用光ドロップケーブル
１ａ  心線
１ｂ  テンションメンバ
１ｃ  吊線
２  ジャンパ心線
３L，３R  左側および右側スリーブ
４L，４R  左側および右側メカニカルスプライス
５，５’  メディアコンバータ
６  パーソナルコンピュータ
７  コネクタケーブル
１０，６０，９０，１００  直線接続クロージャ
１１，７０，８０  吊線固定棒
１１L1，１１L2  第１および第２の左側突起
１１R1，１１R2  第１および第２の右側突起
１２，２１，３１，４１，５１  ホルダー
１２ａ，４１ａ，５１ａ  スポンジ部材
１３，９１  カバー
１３ａ，９１ａ  表面カバー
１３ｂ，９１ｂ  裏面カバー
１３ｃ1，１３ｃ2，９１ｃ1，９１ｃ2  第１および第２の貫通孔
２１ａ，３１ａ  保持用突起
６１  光ドロップケーブル固定棒
６１L，６１R  左側および右側把持金具
６１ａ  取付部
６１ｂ  本体部把持部
６１ｃ  吊線部把持部
７１  固定ネジ
８１，９３  ナット
９２  ボルト
１００1，１００2  第１および第２の直線接続クロージャ
１１０  成端箱
【図１】
2010197691.tif 000003
【図２】
2010197691.tif 000004
【図３】
2010197691.tif 000005
【図４】
2010197691.tif 000006
【図５】
2010197691.tif 000007
【図６】
2010197691.tif 000008
【図７】
2010197691.tif 000009
【図８】
2010197691.tif 000010
【図９】
2010197691.tif 000011
【図１０】
2010197691.tif 000012